(57)【要約】【課題】給水量がオーバ−フロー孔からの排水能力を超えたり、オーバ−フロー孔が詰まっている場合でも、洗面ボールから水が溢れ出ることがないようにできる洗面化粧台の排水構造を提供する。。【解決手段】底部に排水口３を、上部にオーバ−フロー孔４を形成している洗面ボール２と、前記排水口３及び前記オーバ−フロー孔４からの排水を外部に排水する排水管５と、前記排水口３を密栓する排水栓６とを備えている洗面化粧台１の排水構造において、洗面ボール２のオーバ−フロー孔４近傍に水位センサー９を設け、水位センサー９により所定以上の水位を検出したときに、排水口３が開栓されて、洗面ボール２内の水を排水口３より排水することを特徴とする洗面化粧台の排水構造。【選択図】        図１
2004324061.tif 000002
【特許請求の範囲】
【請求項１】
底部に排水口を、上部にオーバ−フロー孔を形成している洗面ボールと、前記排水口及び前記オーバ−フロー孔からの排水を外部に排水する排水管と、前記排水口を密栓する排水栓とを備えている洗面化粧台の排水構造において、
洗面ボールのオーバ−フロー孔近傍に水位センサーを設け、水位センサーにより所定以上の水位を検出したときに、排水口が開栓されて、洗面ボール内の水を排水口より排水することを特徴とする洗面化粧台の排水構造。
【請求項２】
排水栓の底部に、排水栓の底部から前記排水管内に垂下しており、排水栓開閉用ツマミの操作により上下するシャフトを取り付けると共に該シャフトを下方より押し上げることができる異常時開放用押し上げ棒を、該シャフトの下方に設けており、水位センサーにより所定以上の水位を検出したときには、水位センサーからの信号に基づいて前記異常時開放用押し上げ棒が上方に突出して前記シャフトを押し上げることにより排水口が開栓されることを特徴とする請求項１記載の洗面化粧台の排水構造。
【発明の詳細な説明】
【０００１】
【発明の属する技術分野】
本発明は、底部に排水口を、上部にオーバ−フロー孔を形成している洗面ボールと、前記排水口及び前記オーバ−フロー孔からの排水を外部に排水する排水管と、前記排水口を密栓する排水栓とを備えている洗面化粧台の排水構造に関する。
【０００２】
【従来の技術】
従来から、図３に示すような、洗面ボール２を備える洗面化粧台１が知られている。このような洗面化粧台１における排水構造としては、例えば図４に示すように、底部に排水口３を、上部にオーバ−フロー孔４を形成している洗面ボール２と、前記排水口３及び前記オーバ−フロー孔４からの排水を外部に排水する排水管５と、前記排水口３を密栓する排水栓６を備えているのが一般的である。排水栓６は排水栓開閉用ツマミ７の操作により上下して、排水口３を開栓／密栓するようにしている。従来の排水構造では、このようにオーバ−フロー孔４が設けられているため、底部の排水栓６を閉じた状態で蛇口から洗面ボール２に給水を続けても、洗面ボール２から水が溢れ出さないようになっている。
【０００３】
そして、排水栓６によって排水口３を開栓／密栓する構造としては、例えば図５に示すように、排水栓６の底部から排水管５内に垂下していて、排水栓開閉用ツマミ７の操作により上下するシャフト８を取り付けておき、排水栓開閉用ツマミ７を操作してシャフト８を昇降させて、排水栓６で排水口３を開栓／密栓する構造が知られている（例えば、特許文献１参照。）。
【０００４】
【特許文献１】
特開平９−８８１４４号公報
【０００５】
【発明が解決しようとする課題】
しかしながら、上記した従来の洗面化粧台の排水構造では、給水量がオーバ−フロー孔からの排水能力を超えたり、オーバ−フロー孔が詰まっている等の場合には、洗面ボールから水が溢れ出ることがあり、より確実に洗面ボールから水が溢れ出さないようにできる洗面化粧台の排水構造が求められている。
【０００６】
本発明は、上記の事情に鑑みてなされたもので、その目的とするところは、底部に排水口を、上部にオーバ−フロー孔を形成している洗面ボールと、前記排水口及び前記オーバ−フロー孔からの排水を外部に排水する排水管と、前記排水口を密栓する排水栓とを備えている洗面化粧台の排水構造であって、給水量がオーバ−フロー孔からの排水能力を超えたり、オーバ−フロー孔が詰まっている場合でも、洗面ボールから水が溢れ出ることがないようにできる洗面化粧台の排水構造を提供することにある。
【０００７】
【課題を解決するための手段】
請求項１に係る発明の洗面化粧台の排水構造は、底部に排水口を、上部にオーバ−フロー孔を形成している洗面ボールと、前記排水口及び前記オーバ−フロー孔からの排水を外部に排水する排水管と、前記排水口を密栓する排水栓とを備えている洗面化粧台の排水構造において、
洗面ボールのオーバ−フロー孔近傍に水位センサーを設け、水位センサーにより所定以上の水位を検出したときに、排水口が開栓されて、洗面ボール内の水を排水口より排水することを特徴とする。
【０００８】
請求項２に係る発明の洗面化粧台の排水構造は、請求項１記載の洗面化粧台の排水構造において、排水栓の底部に、排水栓の底部から前記排水管内に垂下しており、排水栓開閉用ツマミの操作により上下するシャフトを取り付けると共に該シャフトを下方より押し上げることができる異常時開放用押し上げ棒を、該シャフトの下方に設けており、水位センサーにより所定以上の水位を検出したときには、水位センサーからの信号に基づいて前記異常時開放用押し上げ棒が上方に突出して前記シャフトを押し上げることにより排水口が開栓されることを特徴とする。
【０００９】
【発明の実施の形態】
以下に、本発明の実施の形態を説明する。図１は洗面化粧台の排水構造についての実施の形態の一例を説明するための洗面化粧台１の要部断面図であり、図２は図１に示す洗面化粧台１の排水管５付近の要部拡大断面図である。
【００１０】
図１に示すように、洗面化粧台１は底部に排水口３を、上部にオーバ−フロー孔４を形成している洗面ボール２と、前記排水口３及び前記オーバ−フロー孔４からの排水を外部に排水する排水管５と、前記排水口３を密栓する排水栓６とを備えている。そして、洗面ボール２のオーバ−フロー孔４の近傍に水位センサー９を設けており、この水位センサー９は制御装置１０に接続されている。なお、水位センサー９は、オーバ−フロー孔４より上方位置に設けることが、水位センサー９で検知する水位をオーバ−フロー孔４より高い位置に設定できるので好ましい。
【００１１】
オーバ−フロー孔４には排水パイプ２１の一方の端部が接続され、この排水パイプ２１の他方の端部は排水管５に取り付けた環状中空部材２２に接続されている。また、環状中空部材２２の内部空間は排水管５の内部空間と、排水管５に設けられた開口孔２３で連通されるようにしている。
【００１２】
そして、図２に示すように、排水栓６の底部に、排水栓６の底部から排水管５内に垂下しており、排水栓開閉用ツマミ７の操作により上下するシャフト８を取り付けている。図２に示すケーブル１２内には、図１に示す排水栓開閉用ツマミ７と一端が接続されているワイヤー１３が収容されている。そして、シャフト８の下端にはカバー部材１１が固着されている。このカバー部材１１の下方にはカバー部材１１を押圧してシャフト８を上下させるシャフト押し上げ棒１４を備えている。シャフト押し上げ棒１４は、配水管５に形成した段部１６に内外に連通して鉛直に固定された筒状のホルダー１７内に上下スライド自在に挿設されており、上端部がホルダー１７上端から突出して、カバー部材１１に当接している。また、ケーブル１２はホルダー１７の下端部に連結されていて、ホルダー１７内にて、ワイヤー１３の先端がシャフト押し上げ棒１４の下端に突き当たっている。
【００１３】
一方、カバー部材１１の下方には異常時開放用押し上げ棒１８が、配水管５を貫通して設けられており、モーター１９で回動する円板カム２０に異常時開放用押し上げ棒１８の下端は当接している。モーター１９は制御装置１０によって駆動の制御が行われる。
【００１４】
上述の洗面化粧台の排水構造の動作について説明する。水位センサー９で検知される水位が、所定水位より低い通常の状態では、排水栓開閉用ツマミ７を押し下げると、これと連動してワイヤー１３がシャフト押し上げ棒１４を押し上げ、同時にシャフト押し上げ棒１４がシャフト８を押し上げて排水栓６が上昇して、開栓される。逆に、排水栓開閉用ツマミ７を引き上げると、ワイヤー１３及びシャフト押し上げ棒１４が上記と逆の動きをしてシャフト８が下降し、排水栓６が排水口３に当接して、閉栓状態となる。
【００１５】
排水口３を排水栓６で閉栓している状態で、蛇口３０から洗面ボール２内に水を供給し、水位センサー９で検知される水位が所定水位以上に高くなったときには、水位センサー９からの信号に基づいて、制御装置１０によりモータ１９を駆動して、円板カム２０が所定位置まで回動し、異常時開放用押し上げ棒１８を上方に突出させてシャフト８を押し上げる。シャフト８が押し上げられると排水栓６が上昇して、開栓される。その後、水位センサー９で検知される水位が所定水位より低くなったときには、水位センサー９からの信号に基づいて、制御装置１０によりモータ１９を駆動して、円板カム２０が所定位置まで回動し、異常時開放用押し上げ棒１８を下降させて異常時開放用押し上げ棒１８によるシャフト８への押圧を解除して、通常の状態に戻るようにする。なお、オーバ−フロー孔４から水をオーバーフローさせた状態にして洗面化粧台を使用する場合も考えられるので、水位センサー９で検知する所定水位は、オーバ−フロー孔４より高い位置に設定しておくことが好ましい。
【００１６】
上述した洗面化粧台の排水構造によれば、給水量がオーバ−フロー孔４からの排水能力を超えたり、オーバ−フロー孔４が詰まっている場合でも、洗面ボール２から水が溢れ出ないようにすることができる。
【００１７】
上記の実施形態ではモータ１９を駆動して、円板カム２０を所定位置まで回動させて、異常時開放用押し上げ棒１８を上方に突出させるようにしたが、電磁石を用いて異常時開放用押し上げ棒１８を上下動するようにしてもよい。
【００１８】
【発明の効果】
請求項１及び請求項２に係る発明の洗面化粧台の排水構造によれば、給水量がオーバ−フロー孔からの排水能力を超えたり、オーバ−フロー孔が詰まっている場合でも、洗面ボールから水が溢れ出ないようにすることができる。
【図面の簡単な説明】
【図１】本発明の実施形態を説明するための洗面化粧台１の要部断面図である。
【図２】図１に示す洗面化粧台１の排水管５付近の要部拡大断面図である。
【図３】洗面化粧台１を示す正面図である。
【図４】従来の洗面化粧台の排水構造を示す要部断面図である。
【図５】従来の洗面化粧台の排水構造を説明するための排水管付近の要部拡大断面図である。
【符号の説明】
１  洗面化粧台
２  洗面ボール
３  排水口
４  オーバーフロー孔
５  排水管
６  排水栓
７  排水栓開閉用ツマミ
８  シャフト
９  水位センサ
１０  制御部
１１  カバー部材
１２  ケーブル
１３  ワイヤー
１４  シャフト押し上げ棒
１６  段部
１７  ホルダー
１８  異常時開放用押し上げ棒
１９  モータ
２０  円板カム
２１  排水パイプ
２２  中空環状部材
２３  開口孔
３０  蛇口
【図１】
2004324061.tif 000003
【図２】
2004324061.tif 000004
【図３】
2004324061.tif 000005
【図４】
2004324061.tif 000006
【図５】
2004324061.tif 000007